(57)【要約】【課題】カバーを有する光源ユニットを包装箱に収納する場合に、カバーの表面と接触することなく光源ユニットを支持できる部材を提供する。【解決手段】光源ユニット支持部材５０は、包装箱２０に、光源ユニット３０が、カバー３１を上向きにして収納された状態にて、光源ユニット３０を支持するために使用される。光源ユニット支持部材５０の底受け部５１に形成された第１接触部６１は、光源ユニット３０の底板３３と光源ユニット３０の一対の側板３４のうち一方の側板３４との境界部分に接触する。底受け部５１に形成された第２接触部は、光源ユニット３０の底板３３と光源ユニット３０の一対の側板３４のうち他方の側板３４との境界部分に接触する。底受け部５１に形成された第３接触部６３は、包装箱２０の底面２３に接触する。【選択図】図９
2016064847.tif 000002
【特許請求の範囲】
【請求項１】
長手状の底面と前記底面の長手方向に沿って延びる一対の側面とが内側に形成された包装箱に、長手状の底板と前記底板の一方の面から立ち上がる一対の側板と前記底板の他方の面に取り付けられる光源と前記光源を覆うカバーとを有する光源ユニットが、前記底面と前記底板の前記一方の面とを相対させて収納された状態にて、前記光源ユニットを支持するために使用される光源ユニット支持部材であって、
前記底板と前記一対の側板のうち一方の側板との境界部分に接触するための第１接触部が幅方向の一端に形成され、前記底板と前記一対の側板のうち他方の側板との境界部分に接触するための第２接触部が幅方向の他端に形成され、幅方向の途中の少なくとも一箇所が折れ曲がることで、前記底面に接触するための第３接触部が形成されたシート状の底受け部
を備える光源ユニット支持部材。
【請求項２】
前記底受け部を幅方向に沿って切った断面がＶ字形状である、請求項１に記載の光源ユニット支持部材。
【請求項３】
前記包装箱は、前記底面の短手方向に沿って延びる端面が内側に形成され、
前記光源ユニット支持部材は、さらに、
前記底受け部と一体に形成され、前記端面と、前記底板及び前記カバーのうち少なくともいずれかとの間で緩衝材となるシート状の端受け部
を備える、請求項１又は２に記載の光源ユニット支持部材。
【請求項４】
前記端受け部が、一枚のシート材の一部が折れ曲がって重なり合うことで多重シート状に形成されている、請求項３に記載の光源ユニット支持部材。
【請求項５】
前記端受け部の幅方向の途中の少なくとも一箇所が折れ曲がることで、前記第３接触部が前記底受け部と前記端受け部とに跨って形成されている、請求項３又は４に記載の光源ユニット支持部材。
【請求項６】
前記端受け部を幅方向に沿って切った断面がＶ字形状である、請求項５に記載の光源ユニット支持部材。
【請求項７】
前記端受け部を幅方向に沿って切った断面が多角形状である、請求項５に記載の光源ユニット支持部材。
【請求項８】
前記光源ユニット支持部材は、さらに、
前記端受け部と一体に形成され、前記一対の側面と、前記側板及び前記カバーのうち少なくともいずれかとの間で緩衝材となるシート状の一対の横受け部
を備える、請求項３から７のいずれか１項に記載の光源ユニット支持部材。
【請求項９】
前記一対の横受け部が前記底受け部の高さ方向に沿って前記第３接触部と同じ位置まで延びることで、前記底面に接触するための第４接触部が前記一対の横受け部に形成されている、請求項８に記載の光源ユニット支持部材。
【請求項１０】
前記一対の横受け部のそれぞれの一部が、一枚のシート材の一部が折れ曲がって重なり合うことで多重シート状に形成されている、請求項８又は９に記載の光源ユニット支持部材。
【請求項１１】
前記包装箱は、前記底面に対向する蓋面が内側に形成され、
前記一対の横受け部のそれぞれの一部が前記底受け部の高さ方向に沿って前記第３接触部のある側と逆側に延びることで、前記蓋面に接触するための第５接触部が前記一対の横受け部に形成されている、請求項８から１０のいずれか１項に記載の光源ユニット支持部材。
【請求項１２】
一枚の矩形状のシート材が折れ曲がって形成されている、請求項１から１１のいずれか１項に記載の光源ユニット支持部材。
【請求項１３】
長手状の底面と前記底面の長手方向に沿って延びる一対の側面とが内側に形成された包装箱と、
長手状の底板と前記底板の一方の面から立ち上がる一対の側板と前記底板の他方の面に取り付けられる光源と前記光源を覆うカバーとを有し、前記包装箱に、前記底面と前記底板の前記一方の面とを相対させて収納された光源ユニットと、
前記光源ユニットを支持する光源ユニット支持部材であって、前記底板と前記一対の側板のうち一方の側板との境界部分に接触するための第１接触部が幅方向の一端に形成され、前記底板と前記一対の側板のうち他方の側板との境界部分に接触するための第２接触部が幅方向の他端に形成され、幅方向の途中の少なくとも一箇所が折れ曲がることで、前記底面に接触するための第３接触部が形成されたシート状の底受け部を備える光源ユニット支持部材と
を備える包装箱入り光源ユニット。
【請求項１４】
前記光源ユニット支持部材が、前記包装箱の内側で、前記底板の長手方向における前記光源ユニットの両端部に一つずつ取り付けられている、請求項１３に記載の包装箱入り光源ユニット。
【発明の詳細な説明】
【技術分野】
【０００１】
本発明は、光源ユニット支持部材及び包装箱入り光源ユニットに関するものである。
【背景技術】
【０００２】
従来、緩衝材を用いずに、一枚の紙を折り曲げてランプ包装箱とするものがある（例えば、特許文献１参照）。
【先行技術文献】
【特許文献】
【０００３】
【特許文献１】特開２００２−２２５８４９号公報
【発明の概要】
【発明が解決しようとする課題】
【０００４】
例えば、樹脂製のカバーを有するランプを包装する場合には、振動や衝撃によってカバーの表面に打痕やキズが生じないように、カバーと包装材との接触を防止する必要がある。樹脂製のカバーが、ランプの意匠部分であったり光学機能を有する部分であったりする場合には、特に重要である。従来のランプ包装箱では、ランプを貫通口に挿入して固定する構造を採用しているため、特にカバーがランプの長手方向全体に延びている場合、カバーの表面と貫通口の内周面との接触が避けられない。カバー又はランプ全体をビニール製の保護シート等で覆うという対策も可能であるが、開梱時の作業効率が落ちてしまうという課題がある。
【０００５】
本発明は、例えば、カバーを有する光源ユニットを包装箱に収納する場合に、カバーの表面と接触することなく光源ユニットを支持できる部材を提供することを目的とする。
【課題を解決するための手段】
【０００６】
本発明の一の態様に係る光源ユニット支持部材は、
長手状の底面と前記底面の長手方向に沿って延びる一対の側面とが内側に形成された包装箱に、長手状の底板と前記底板の一方の面から立ち上がる一対の側板と前記底板の他方の面に取り付けられる光源と前記光源を覆うカバーとを有する光源ユニットが、前記底面と前記底板の前記一方の面とを相対させて収納された状態にて、前記光源ユニットを支持するために使用される。
前記光源ユニット支持部材は、
前記底板と前記一対の側板のうち一方の側板との境界部分に接触するための第１接触部が幅方向の一端に形成され、前記底板と前記一対の側板のうち他方の側板との境界部分に接触するための第２接触部が幅方向の他端に形成され、幅方向の途中の少なくとも一箇所が折れ曲がることで、前記底面に接触するための第３接触部が形成されたシート状の底受け部を備える。
【発明の効果】
【０００７】
本発明では、カバーを有する光源ユニットが包装箱に収納された状態にて、光源ユニット支持部材の底受け部が、幅方向の両端で光源ユニットの底板と一対の側板のそれぞれとの境界部分に接触するとともに、幅方向の途中の折れ曲がった箇所で包装箱の底面に接触する。このため、本発明によれば、光源ユニット支持部材が、カバーの表面と接触することなく光源ユニットを支持できる。
【図面の簡単な説明】
【０００８】
【図１】実施の形態１に係る包装箱入り光源ユニットの斜視図。
【図２】実施の形態１に係る包装箱入り光源ユニットの斜視図。
【図３】実施の形態１に係る包装箱の斜視図。
【図４】実施の形態１に係る光源ユニットの斜視図。
【図５】実施の形態１に係る光源ユニットの斜視図。
【図６】実施の形態１に係る光源ユニット支持部材の斜視図。
【図７】実施の形態１に係る光源ユニット支持部材の六面図。
【図８】実施の形態１に係る包装箱入り光源ユニットの部分斜視図。
【図９】実施の形態１に係る包装箱入り光源ユニットの部分斜視図。
【図１０】実施の形態１に係る照明装置の斜視図。
【図１１】実施の形態１に係る照明装置の分解斜視図。
【図１２】実施の形態１に係る照明装置の取り付けバネによる光源ユニットと照明器具との連結を解除する様子を示す部分斜視図。
【図１３】実施の形態１に係る包装箱の展開図。
【図１４】実施の形態１に係る光源ユニット支持部材の展開図。
【図１５】実施の形態１に使用可能な補助支持部材の斜視図。
【図１６】実施の形態１に使用可能な補助支持部材の展開図。
【図１７】実施の形態２に係る光源ユニット支持部材の斜視図。
【図１８】実施の形態２に係る光源ユニット支持部材の六面図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１０】
実施の形態１．
以下では、本実施の形態に係る物の構成、本実施の形態に係る物の機能、本実施の形態の奏する効果等について順番に説明する。
【００１１】
＊＊＊構成の説明＊＊＊
図１及び図２は、本実施の形態に係る包装箱入り光源ユニット１０の斜視図である。図１は、包装箱２０の蓋部２１が開いた状態を示している。図２は、包装箱２０の蓋部２１が閉じた状態を示している。
【００１２】
図１に示すように、包装箱入り光源ユニット１０は、包装箱２０と、光源ユニット３０と、一対の光源ユニット支持部材５０とを備える。
【００１３】
包装箱２０は、蓋部２１と、収納部２２とを有する。包装箱入り光源ユニット１０が運搬又は保管される際には、図２に示すように、蓋部２１が閉じられて収納部２２にテープ１１で固定される。このとき、包装箱２０は、直方体状になる。なお、蓋部２１又は収納部２２の表面には、包装箱入り光源ユニット１０の上下方向の正しい向きを示す文字や記号等が印刷されていてもよい。本実施の形態では、収納部２２の少なくとも一端の表面に、包装箱入り光源ユニット１０の上下方向の正しい向きを示す記号である矢印が印刷されている。
【００１４】
光源ユニット３０は、長手状である。光源ユニット３０は、カバー３１を有する。カバー３１は、例えば、光源ユニット３０の長手方向全体に延びている。図１に示すように、光源ユニット３０は、カバー３１を上向きにした状態で包装箱２０の収納部２２に収納される。
【００１５】
光源ユニット支持部材５０は、包装箱２０の内側で、光源ユニット３０の長手方向の両端部３２に一つずつ取り付けられる。光源ユニット支持部材５０は、光源ユニット３０を支持する。
【００１６】
以下では、包装箱２０、光源ユニット３０、光源ユニット支持部材５０の詳細な構成について順番に説明する。
【００１７】
図３は、包装箱２０の斜視図である。
【００１８】
図３に示すように、包装箱２０は、底面２３と、互いに対向する一対の側面２４と、互いに対向する一対の端面２５と、底面２３に対向する蓋面２６とが内側に形成されている。
【００１９】
底面２３は、長手状である。具体的には、底面２３は、長方形状であり、幅が光源ユニット３０の幅より広く、長さが光源ユニット３０の長さより長くなっている。底面２３は、収納部２２の底部の内表面に相当する。
【００２０】
側面２４は、底面２３の長手方向に沿って延びる。具体的には、側面２４は、底面２３の短手方向の両端縁全体から立ち上がっている。側面２４は、長方形状であり、長さが底面２３の長さと同じで、高さが光源ユニット３０の高さより高くなっている。側面２４は、収納部２２の両側部の内表面に相当する。
【００２１】
端面２５は、底面２３の短手方向に沿って延びる。具体的には、端面２５は、底面２３の長手方向の両端縁全体から立ち上がっている。端面２５は、長方形状であり、幅が底面２３の幅と同じで、高さが側面２４の高さと同じである。端面２５は、収納部２２の両端部の内表面に相当する。
【００２２】
蓋面２６は、長手状である。具体的には、蓋面２６は、長方形状であり、幅が底面２３の幅と同じで、長さも底面２３の長さと同じである。蓋面２６は、蓋部２１の内表面の一部に相当する。
【００２３】
包装箱２０は、後述するように、一枚のシート材が折れ曲がって形成されている。シート材の材料は、段ボールであることが望ましいが、他の材料であってもよい。
【００２４】
なお、包装箱２０の全体形状及び全体構成、蓋部２１及び収納部２２の形状、底面２３、側面２４、端面２５及び蓋面２６の形状は、前述又は図示したものに限らず、光源ユニット３０の形状等に合わせて適宜変更することができる。例えば、蓋部２１と収納部２２は、別体として、即ち、分離可能な形態で設けられていてもよい。
【００２５】
図４及び図５は、光源ユニット３０の斜視図である。図４は、光源ユニット３０のカバー３１を上向きにした状態を示している。図５は、光源ユニット３０のカバー３１を下向きにした状態を示している。
【００２６】
図４及び図５に示すように、光源ユニット３０は、カバー３１を有するほか、底板３３と、互いに対向する一対の側板３４と、光源３５と、電源装置３６と、取り付け部４０とを有する。
【００２７】
底板３３は、長手状である。
【００２８】
側板３４は、底板３３の一方の面である器具対向面３７から立ち上がる。
【００２９】
光源３５は、底板３３の他方の面、即ち、底板３３の器具対向面３７と逆側の面に取り付けられる。光源３５は、例えば、発光ダイオード（Ｌｉｇｈｔ・Ｅｍｉｔｔｉｎｇ・Ｄｉｏｄｅ（以下、「ＬＥＤ」と称す））モジュールであり、複数のＬＥＤ３８と、これら複数のＬＥＤ３８が実装された基板３９とからなる。
【００３０】
カバー３１は、光源３５を覆うように側板３４に取り付けられる。カバー３１は、光源３５から照射される光を透過する。カバー３１は、例えば、樹脂製であり、外郭が蒲鉾形状をなし、内部が中空状となっている。カバー３１は、光を拡散する機能、光の波長を変換する光学機能等を備えていてもよい。
【００３１】
電源装置３６は、底板３３の器具対向面３７に取り付けられる。電源装置３６は、光源３５に点灯電力を供給して光源３５を点灯させる。電源装置３６は、光源３５の点灯を制御する制御機能等を備えていてもよい。
【００３２】
取り付け部４０は、底板３３の二箇所に、底板３３の長手方向に離れて取り付けられる。取り付け部４０は、光源ユニット３０を器具に取り付けるために使用される。取り付け部４０の詳細、及び、器具に光源ユニット３０を取り付ける方法については後述する。
【００３３】
本実施の形態では、底板３３及び側板３４が、フレーム４１と一対の保持部材４２との組み合わせで構成されている。フレーム４１は、長方形状の金属板の短手方向の両端部が折り曲げられることで、平坦部４１ａと、平坦部４１ａから立ち上がる一対の側面部４１ｂとが形成されたものである。一方、保持部材４２は、長方形状の金属板の長手方向の両端部が複数回折り曲げられることで、平坦部４２ａと、平坦部４２ａから立ち上がる一対の挟み込み部４２ｂとが形成されたものである。フレーム４１の側面部４１ｂには、カバー３１が嵌められる。保持部材４２は、フレーム４１の二箇所に、フレーム４１の長手方向に離れて取り付けられる。保持部材４２の挟み込み部４２ｂは、フレーム４１の側面部４１ｂとカバー３１とが分離しないようにフレーム４１の側面部４１ｂとカバー３１の一部とを挟み込んで保持する。底板３３は、フレーム４１の平坦部４１ａと保持部材４２の平坦部４２ａとを合わせたものに相当する。側板３４は、フレーム４１の側面部４１ｂと保持部材４２の挟み込み部４２ｂとを合わせたものに相当する。
【００３４】
なお、光源ユニット３０の全体形状及び全体構成、カバー３１、底板３３及び側板３４の形状、光源３５の構成は、前述又は図示したものに限らず、光源ユニット３０の用途等に合わせて適宜変更することができる。例えば、光源３５は、ＬＥＤ３８の代わりに、有機ＥＬ（Ｏｒｇａｎｉｃ・Ｅｌｅｃｔｒｏ−Ｌｕｍｉｎｅｓｃｅｎｃｅ）、半導体レーザ（Ｓｅｍｉｃｏｎｄｕｃｔｏｒ−Ｌａｓｅｒ）等、他の種類の発光素子を備えていてもよい。また、例えば、保持部材４２は、省略してもよい。
【００３５】
図６は、光源ユニット支持部材５０の斜視図である。図７は、光源ユニット支持部材５０の六面図である。
【００３６】
図６及び図７に示すように、光源ユニット支持部材５０は、底受け部５１と、端受け部５２と、一対の横受け部５３とを備える。
【００３７】
底受け部５１は、シート状である。底受け部５１の幅方向の一端には、第１接触部６１が形成されている。底受け部５１の幅方向の他端には、第２接触部６２が形成されている。また、底受け部５１には、底受け部５１の幅方向の途中の少なくとも一箇所が折れ曲がることで第３接触部６３が形成されている。
【００３８】
第１接触部６１は、光源ユニット３０の底板３３と光源ユニット３０の一対の側板３４のうち一方の側板３４との境界部分に接触するためのものである。第２接触部６２は、光源ユニット３０の底板３３と光源ユニット３０の一対の側板３４のうち他方の側板３４との境界部分に接触するためのものである。第３接触部６３は、包装箱２０の底面２３に接触するためのものである。
【００３９】
本実施の形態では、底受け部５１の幅方向の途中の一箇所のみが折れ曲がり、底受け部５１を幅方向に沿って切った断面がＶ字形状になっている。本実施の形態の変形例として、底受け部５１の幅方向の途中の二箇所が折れ曲がり、第３接触部６３が幅広に形成されていてもよい。別の変形例として、底受け部５１の幅方向の途中の三箇所が折れ曲がり、底受け部５１を幅方向に沿って切った断面がＷ字形状になっていてもよい。その場合、第３接触部６３が二つ形成されることになる。さらに別の変形例として、底受け部５１の幅方向の途中の四箇所以上が折れ曲がり、第３接触部６３が二つ以上形成されていてもよい。
【００４０】
端受け部５２は、シート状である。端受け部５２は、底受け部５１と一体に形成される。端受け部５２は、包装箱２０の端面２５と、光源ユニット３０の底板３３及びカバー３１のうち少なくともいずれかとの間で緩衝材となる。そのため、端受け部５２は、長さが包装箱２０の底面２３の長さと光源ユニット３０の長さとの差の約半分になっている。
【００４１】
本実施の形態では、端受け部５２が、一枚のシート材の一部が折れ曲がって重なり合うことで多重シート状に形成されている。具体的には、端受け部５２が、二重シート状に形成されている。
【００４２】
本実施の形態では、端受け部５２の幅方向の途中の少なくとも一箇所が折れ曲がることで、前述した第３接触部６３が底受け部５１と端受け部５２とに跨って形成されている。具体的には、端受け部５２の幅方向の途中の一箇所が折れ曲がり、端受け部５２を幅方向に沿って切った断面がＶ字形状になっている。底受け部５１と端受け部５２とでは、折り目が共通である。よって、本実施の形態の変形例として、底受け部５１の幅方向の途中の二箇所以上が折れ曲がっているのであれば、端受け部５２も幅方向の途中の二箇所が折れ曲がっていることになる。
【００４３】
横受け部５３は、シート状である。横受け部５３は、端受け部５２と一体に形成される。横受け部５３は、包装箱２０の側面２４と、光源ユニット３０の側板３４及びカバー３１のうち少なくともいずれかとの間で緩衝材となる。そのため、横受け部５３は、高さが包装箱２０の側面２４又は端面２５の高さとほぼ同じになっている。
【００４４】
本実施の形態では、横受け部５３の一部である第１横受け部５３ａが、一枚のシート材の一部が折れ曲がって重なり合うことで多重シート状に形成されている。具体的には、第１横受け部５３ａが、二重シート状に形成されている。
【００４５】
横受け部５３には、横受け部５３が底受け部５１の高さ方向に沿って第３接触部６３と同じ位置まで延びることで第４接触部６４が形成されている。また、横受け部５３には、横受け部５３の一部である第２横受け部５３ｂが底受け部５１の高さ方向に沿って第３接触部６３のある側と逆側に延びることで第５接触部６５が形成されている。
【００４６】
第４接触部６４は、包装箱２０の底面２３に接触するためのものである。第５接触部６５は、包装箱２０の蓋面２６に接触するためのものである。
【００４７】
本実施の形態では、一対の横受け部５３のそれぞれが、第１横受け部５３ａと第２横受け部５３ｂとで構成されている。第１横受け部５３ａは、長方形のシート状である。第１横受け部５３ａの長方形の上辺に相当する部分は、端受け部５２とつながっている。第１横受け部５３ａの長方形の下辺に相当する部分は、第４接触部６４の一部になっている。第２横受け部５３ｂは、高さが第１横受け部５３ａの長方形の高さよりも高い長方形のシート状である。第２横受け部５３ｂの長方形の下辺に相当する部分は、第４接触部６４の一部になっている。第２横受け部５３ｂの長方形の上辺に相当する部分は、第５接触部６５になっている。
【００４８】
光源ユニット支持部材５０は、後述するように、一枚の矩形状のシート材が折れ曲がって形成されている。シート材の材料は、段ボールであることが望ましいが、他の材料であってもよい。また、光源ユニット支持部材５０は、パルプモールド、樹脂モールド等の成形品であってもよい。
【００４９】
なお、光源ユニット支持部材５０の全体形状及び全体構成、底受け部５１、端受け部５２及び横受け部５３の形状は、前述又は図示したものに限らず、包装箱２０の形状、光源ユニット３０の形状等に合わせて適宜変更することができる。例えば、底受け部５１、端受け部５２及び横受け部５３は、いくつか又はそれぞれが別体として、即ち、分離可能な形態で設けられていてもよい。
【００５０】
＊＊＊機能の説明＊＊＊
図８及び図９は、包装箱入り光源ユニット１０の部分斜視図である。図８及び図９は、主に包装箱２０の内側を示しており、包装箱２０については内面のみを波線で示している。図８は、包装箱入り光源ユニット１０の通常の状態を示している。一方、図９は、包装箱入り光源ユニット１０を上下逆さまにした状態を示している。図８の状態では、光源ユニット３０のカバー３１が上向きになるが、図９の状態では、光源ユニット３０のカバー３１が下向きになる。
【００５１】
図８及び図９に示すように、光源ユニット支持部材５０は、包装箱２０に、光源ユニット３０が、包装箱２０の底面２３と光源ユニット３０の底板３３の一方の面である器具対向面３７とを相対させて収納された状態にて、光源ユニット３０を支持するために使用される。具体的には、光源ユニット支持部材５０は、包装箱２０の内側で、底板３３の長手方向における光源ユニット３０の両端部３２に一つずつ取り付けられる。これにより、光源ユニット支持部材５０は、光源ユニット３０を支持する。
【００５２】
以下では、光源ユニット支持部材５０が両端部３２に取り付けられた光源ユニット３０が、包装箱２０の底面２３と光源ユニット３０の底板３３の一方の面である器具対向面３７とを相対させて収納された状態のことを「梱包状態」という。
【００５３】
梱包状態にて、光源ユニット支持部材５０の底受け部５１に形成された第１接触部６１は、光源ユニット３０の底板３３と光源ユニット３０の一対の側板３４のうち一方の側板３４との境界部分に接触する。なお、図９において、フレーム４１の平坦部４１ａと側面部４１ｂとの境界部分４１ｃ、及び、保持部材４２の平坦部４２ａと挟み込み部４２ｂとの境界部分４２ｃは、いずれも底板３３と側板３４との境界部分に相当する。底受け部５１に形成された第２接触部６２は、光源ユニット３０の底板３３と光源ユニット３０の一対の側板３４のうち他方の側板３４との境界部分に接触する。底受け部５１に形成された第３接触部６３は、包装箱２０の底面２３に接触する。
【００５４】
底受け部５１は、第１接触部６１と第２接触部６２とで光源ユニット３０に接触して光源ユニット３０を受けるとともに、第３接触部６３で包装箱２０の底面２３に接触して底面２３を受けることで、光源ユニット３０と包装箱２０の底面２３との間に一定の隙間を確保しながら光源ユニット３０を支持する。また、底受け部５１は、光源ユニット３０と包装箱２０の底面２３との間で緩衝材となり、振動や衝撃から光源ユニット３０を保護する。
【００５５】
梱包状態にて、光源ユニット支持部材５０の端受け部５２に形成された第３接触部６３は、包装箱２０の底面２３に接触する。また、端受け部５２は、光源ユニット３０に対向する面がカバー３１の端面に接触又は接近して対向し、光源ユニット３０に対向する面と逆側の面が包装箱２０の端面２５に接触又は接近して対向する。
【００５６】
端受け部５２は、光源ユニット３０を受けている底受け部５１につながるとともに、第３接触部６３で包装箱２０の底面２３に接触して底面２３を受けることで、光源ユニット３０と包装箱２０の底面２３との間に一定の隙間を確保しながら光源ユニット３０を支持する。また、端受け部５２は、光源ユニット３０と包装箱２０の端面２５との間で緩衝材となり、振動や衝撃から光源ユニット３０を保護する。なお、本実施の形態では、強い衝撃を受けたときでも、カバー３１の端面との接触状態を維持することができるように、端受け部５２が多重シート状になっている。
【００５７】
梱包状態にて、光源ユニット支持部材５０の横受け部５３に形成された第４接触部６４は、包装箱２０の底面２３に接触する。横受け部５３に形成された第５接触部６５は、包装箱２０の蓋面２６に接触する。また、横受け部５３は、光源ユニット３０に対向する面がカバー３１の側面に接触又は接近して対向し、光源ユニット３０に対向する面と逆側の面が包装箱２０の側面２４に接触又は接近して対向する。
【００５８】
横受け部５３は、光源ユニット３０を受けている底受け部５１につながっている端受け部５２につながるとともに、第４接触部６４で包装箱２０の底面２３に接触して底面２３を受けることで、光源ユニット３０と包装箱２０の底面２３との間に一定の隙間を確保しながら光源ユニット３０を支持する。また、横受け部５３は、第４接触部６４で包装箱２０の底面２３に接触して底面２３を受けるとともに、第５接触部６５で包装箱２０の蓋面２６に接触して蓋面２６を受けることで、光源ユニット３０と包装箱２０の蓋面２６との間にも一定の隙間を確保しながら光源ユニット３０を支持する。さらに、横受け部５３は、光源ユニット３０と包装箱２０の側面２４との間で緩衝材となり、振動や衝撃から光源ユニット３０を保護する。なお、本実施の形態では、光源ユニット３０を確実に固定するために、横受け部５３の一部である第１横受け部５３ａが多重シート状になっている。
【００５９】
包装箱入り光源ユニット１０は、光源ユニット３０が使用される場所まで運搬されて開梱される。開梱時には、包装箱２０の蓋部２１が開けられ、包装箱２０の中から光源ユニット３０が取り出される。そして、光源ユニット３０が器具に取り付けられる。
【００６０】
図１０は、光源ユニット３０が照明器具７０に取り付けられて構成される、本実施の形態に係る照明装置８０の斜視図である。図１１は、照明装置８０の分解斜視図である。
【００６１】
図１０及び図１１に示すように、照明装置８０は、照明器具７０と、光源ユニット３０とを備える。照明器具７０は、一面が開口する箱状をなす。光源ユニット３０は、照明器具７０の内部に着脱自在に取り付けられる。
【００６２】
照明装置８０は、天井に設置して使用される。よって、光源ユニット３０が照明器具７０に取り付けられる際には、光源ユニット３０が押し上げられる。即ち、光源ユニット３０が上方向に押し付けられる。一方、光源ユニット３０が照明器具７０から取り外される際には、光源ユニット３０が引き下ろされる。光源ユニット３０が下方向に引き離される。
【００６３】
なお、照明装置８０は、天井以外の場所に設置されてもよい。照明器具７０と光源ユニット３０との位置関係は、前者が上で、後者が下であってもよいし、両者が左右に位置するような関係であってもよいし、互いに斜めに位置するような関係であってもよい。
【００６４】
図１１に示すように、照明器具７０は、器具本体７１と、一対の取り付けバネ７２とを備える。
【００６５】
器具本体７１は、長手状である。器具本体７１は、下面に開口が形成され、当該開口を通して光源ユニット３０の一部を収容する。
【００６６】
取り付けバネ７２は、器具本体７１の二箇所に、器具本体７１の長手方向に離れて取り付けられる。取り付けバネ７２は、光源ユニット３０を照明器具７０に連結し、弾性力によって光源ユニット３０を照明器具７０に固定する。
【００６７】
図１２は、取り付けバネ７２による光源ユニット３０と照明器具７０との連結を解除する様子を示す部分斜視図である。
【００６８】
図１２に示すように、光源ユニット３０の取り付け部４０は、断面がＬ字形状をなし、固定部４３と、挿入部４４とを備える。固定部４３は、器具対向面３７に固定される。挿入部４４には、取り付けバネ７２を挿入するための四角形状の貫通孔４５が形成される。この貫通孔４５に取り付けバネ７２が挿入されることにより、光源ユニット３０が照明器具７０に装着される。光源ユニット３０が照明器具７０から引き離され、貫通孔４５から取り付けバネ７２が抜かれると、光源ユニット３０と照明器具７０との連結が解除される。
【００６９】
以下では、天井に設置された照明器具７０に、作業者が光源ユニット３０を取り付ける手順を説明する。即ち、器具に光源ユニット３０を取り付ける方法について説明する。
【００７０】
取り付けバネ７２は、長手方向の一端が根元に相当し、長手方向の他端が先端に相当する。取り付けバネ７２の根元は、ネジ等により照明器具７０の器具本体７１の内側上面に固定されている。取り付けバネ７２は、先端が照明器具７０の器具本体７１の内側上面に当たる方向に弾性力を発揮する。そのため、光源ユニット３０が照明器具７０から完全に分離した状態では、取り付けバネ７２の先端が、照明器具７０の器具本体７１の内側上面に当たり、器具本体７１を押圧する。このとき、取り付けバネ７２は、重力方向である下方にたわむように湾曲している。
【００７１】
上記のように光源ユニット３０が照明器具７０から完全に分離した状態から、まず、作業者は、取り付けバネ７２に対して弾性力に抗する力を加えることで、取り付けバネ７２を垂直状態になるように弾性変形させる。垂直状態とは、取り付けバネ７２の先端が器具本体７１から離れて長手方向の根元の真下付近に位置する状態のことである。この状態では、取り付けバネ７２が垂直方向に延びて真っ直ぐに近い状態となる。作業者は、取り付けバネ７２を垂直状態にする過程或いはその後で、取り付けバネ７２の先端を取り付け部４０の貫通孔４５に挿入する。取り付けバネ７２の先端は、屈曲しており、この屈曲した部分は、取り付け部４０の貫通孔４５の周縁に引っ掛かるようになっている。そのため、取り付けバネ７２の先端が取り付け部４０の貫通孔４５に挿入された状態では、光源ユニット３０が照明器具７０から吊り下がる。このとき、取り付けバネ７２は、照明器具７０の長手方向の両端に近い位置に１個ずつ配置されており、光源ユニット３０を照明器具７０に対して略平行な状態で保持する。よって、作業者は、光源ユニット３０を手で支える必要がなく、例えば、照明装置８０の施工時には、電源端子台コネクタと電源装置コネクタとを接続する作業等を容易に行うことができる。
【００７２】
次に、作業者は、光源ユニット３０を持ち上げる。このとき、取り付けバネ７２は、弾性力によって取り付け部４０の貫通孔４５の周縁に対して摺動し、根元に近い部分まで貫通孔４５に徐々に挿入されていく。そして、取り付けバネ７２は、最終的に元の状態に戻る。元の状態では、取り付けバネ７２の先端が、照明器具７０の器具本体７１の内側上面に当たり、器具本体７１を押圧する。このとき、取り付けバネ７２は、重力方向である下方にたわむように湾曲している。取り付けバネ７２は、光源ユニット３０を保持できる程度の弾性力を有する。よって、光源ユニット３０は、照明器具７０に固定された状態となる。この状態において、電源装置３６等、光源ユニット３０の一部は、照明器具７０の器具本体７１に収納されるが、カバー３１等、その他の部分は、器具本体７１より下方に露出する。
【００７３】
以下では、照明器具７０から、作業者が光源ユニット３０を取り外す手順を説明する。
【００７４】
光源ユニット３０を取り外す手順は、光源ユニット３０を取り付ける手順の逆である。
【００７５】
前述したように、光源ユニット３０が照明器具７０に取り付けられた状態では、取り付けバネ７２の先端が、照明器具７０の器具本体７１の内側上面に当たり、器具本体７１を押圧する。このとき、取り付けバネ７２は、重力方向である下方にたわむように湾曲している。
【００７６】
まず、作業者は、光源ユニット３０を引き下げる。このとき、取り付けバネ７２は、弾性力によって取り付け部４０の貫通孔４５の周縁に対して摺動し、根元に近い部分から徐々に貫通孔４５を抜け出していく。そして、取り付けバネ７２は、最終的に垂直状態となる。
【００７７】
次に、作業者は、取り付けバネ７２の先端を取り付け部４０の貫通孔４５から抜き出す。これにより、取り付けバネ７２は、弾性力によって元の状態に戻る。電源端子台コネクタと電源装置コネクタとの接続を解除すれば、光源ユニット３０を照明器具７０から完全に分離させることができる。
【００７８】
なお、光源ユニット３０は、包装箱２０に収納可能で、光源ユニット支持部材５０の第１接触部６１及び第２接触部６２が接触して受けることのできる構造であれば、上記のような照明器具７０に取り付けて使用されるものでなくてもよい。即ち、光源ユニット３０が取り付けバネ７２とは別の手段で器具に取り付けられるものであっても、本実施の形態を適用することができる。
【００７９】
以下では、包装箱入り光源ユニット１０の製造方法について説明する。
【００８０】
包装箱入り光源ユニット１０は、以下の手順で製造される。
・ステップ１：包装箱２０を組み立てる。
・ステップ２：光源ユニット支持部材５０を組み立てる。
・ステップ３：光源ユニット支持部材５０を光源ユニット３０の両端部３２に取り付ける。
・ステップ４：カバー３１を上向きにして光源ユニット３０を包装箱２０に収納する。
・ステップ５：付属品等を包装箱２０に収納する。
・ステップ６：包装箱２０の蓋部２１を閉じる。
【００８１】
なお、ステップ１〜６の順序は適宜変更することができる。また、ステップ５は省略することができる。
【００８２】
図１３は、包装箱２０の展開図である。
【００８３】
前述したステップ１では、一枚のシート材である平シート２７から包装箱２０を組み立てることができる。平シート２７は、段ボール製であり、目方向が縦向きになっている。
【００８４】
図１３において、Ａ１〜Ａ３はガイド凹部、Ｂは補助側板、Ｃは天板、Ｄ１及びＤ２は長側板、Ｅは底板、Ｆ１及びＦ２は短側板、Ｇ１〜Ｇ６は折り返し片である。Ａ１〜Ａ３は、テープ１１の位置を示すために設けられている。ＢとＣとの境目、ＣとＤ１との境目、Ｄ１とＥとの境目、Ｆ１とＧ３との境目、Ｆ２とＧ６との境目には、折り曲げやすくするために複数の細長い穴又は切れ目が設けられている。Ｆ１とＧ３との境目の中央には、Ｇ１及びＧ２の一辺にある差し込み片を挿入するための差し込み孔が設けられている。ＥとＦ１との境目の中央には、Ｇ３の一辺にある差し込み片を挿入するための差し込み孔が設けられている。Ｆ２とＧ６との境目の中央には、Ｇ４及びＧ５の一辺にある差し込み片を挿入するための差し込み孔が設けられている。ＥとＦ２との境目の中央には、Ｇ６の一辺にある差し込み片を挿入するための差し込み孔が設けられている。
【００８５】
平シート２７を折り曲げて組み立てられた包装箱２０において、底面２３はＥ、側面２４はＤ１及びＤ２、端面２５はＧ３及びＧ６、蓋面２６はＣに形成される。
【００８６】
図１４は、光源ユニット支持部材５０の展開図である。
【００８７】
前述したステップ２では、一枚の矩形状のシート材である平パッド５４から光源ユニット支持部材５０を組み立てることができる。平パッド５４は、段ボール製であり、目方向が横向きになっている。
【００８８】
図１４において、Ｈ１及びＨ２は底受け部５１と端受け部５２の一部とを形成する領域、Ｉ１及びＩ２は端受け部５２の残りの部分を形成する領域、Ｊ１は一方の横受け部５３の一部を形成する領域、Ｊ２は他方の横受け部５３の一部を形成する領域、Ｋ１は一方の横受け部５３の残りの部分を形成する領域、Ｋ２は他方の横受け部５３の残りの部分を形成する領域である。Ｈ１とＪ１との境目には、平パッド５４の一方の長辺から切れ込み５５が入れられている。Ｈ２とＪ２との境目にも、平パッド５４の一方の長辺から切れ込み５６が入れられている。Ｈ１とＨ２との境目、Ｉ１とＩ２との境目、Ｉ１とＫ１との境目、Ｉ２とＫ２との境目には、折り曲げやすくするために少なくとも一つの細長い穴又は切れ目が設けられている。Ｈ１及びＨ２とＩ１及びＩ２との境目には、切れ込み５７が入れられている。なお、この切れ込み５７は、後述する実施の形態２では必要であるが、本実施の形態では入れられていなくてもよい。
【００８９】
平パッド５４は、Ｋ１とＩ１とＩ２とＫ２とがＪ１とＨ１とＨ２とＪ２の上に重なるように、Ｊ１とＫ１との境目、Ｈ１とＩ１との境目、Ｈ２とＩ２との境目、Ｊ２とＫ２との境目で折り曲げられる。これにより、端受け部５２及び第１横受け部５３ａが二重シート状になる。
【００９０】
切れ込み５５，５６が入れられている部分のＨ１側には、第１接触部６１及び第２接触部６２が形成される。Ｈ１とＨ２との境目には、折り曲げられることで第３接触部６３が形成される。平パッド５４の一方の短辺に相当するＪ１及びＫ１のＨ１及びＩ１と逆側の端縁には、第４接触部６４が形成される。平パッド５４の他方の短辺に相当するＪ２及びＫ２のＨ２及びＩ２と逆側の端縁にも、第４接触部６４が形成される。切れ込み５５が入れられている部分のＪ１側には、第５接触部６５が形成される。切れ込み５６が入れられている部分のＪ２側にも、第５接触部６５が形成される。
【００９１】
＊＊＊効果の説明＊＊＊
本実施の形態では、梱包状態にて、光源ユニット支持部材５０の底受け部５１が、幅方向の両端にある第１接触部６１と第２接触部６２とで光源ユニット３０の底板３３と一対の側板３４のそれぞれとの境界部分に接触するとともに、幅方向の途中の折れ曲がった箇所にある第３接触部６３で包装箱２０の底面２３に接触する。このため、本実施の形態によれば、光源ユニット支持部材５０が、カバー３１の表面と接触することなく光源ユニット３０を支持できる。
【００９２】
本実施の形態では、梱包状態にて、光源ユニット支持部材５０の端受け部５２も、幅方向の途中の折れ曲がった箇所にある第３接触部６３で包装箱２０の底面２３に接触する。このため、本実施の形態によれば、光源ユニット支持部材５０が、より確実に光源ユニット３０を支持できる。
【００９３】
本実施の形態では、光源ユニット３０と包装箱２０の端面２５との間で緩衝材となる端受け部５２が、多重シート状になっている。このため、本実施の形態によれば、光源ユニット支持部材５０が、強い衝撃を受けたときでも、光源ユニット３０から外れにくい。
【００９４】
本実施の形態では、光源ユニット支持部材５０の横受け部５３も、高さ方向の一端にある第４接触部６４で包装箱２０の底面２３に接触する。このため、本実施の形態によれば、光源ユニット支持部材５０が、より確実に光源ユニット３０を支持できる。
【００９５】
本実施の形態では、横受け部５３が、高さ方向の一端にある第４接触部６４で包装箱２０の底面２３に接触するとともに、高さ方向の他端にある第５接触部６５で包装箱２０の蓋面２６に接触する。このため、本実施の形態によれば、光源ユニット支持部材５０が、包装箱２０の内側で支柱の役割を果たし、包装箱２０の強度を高めることができる。したがって、光源ユニット３０の中央部を支持するセンターパッドを使用しなくても、光源ユニット３０の両端部３２を支持するサイドパッドである光源ユニット支持部材５０を使用するだけで、包装箱２０の強度を十分に保つことができる。また、カバー３１の表面と光源ユニット支持部材５０の表面との接触、或いは、カバー３１の表面と包装箱２０の内面との接触を確実に回避することができる。光源ユニット３０をビニール製の保護シート等で覆う必要がないので、光源ユニット３０を天井等に設置するために開梱する際の作業効率が向上し、廃棄物の削減にも貢献する。即ち、施工性が向上する。
【００９６】
本実施の形態では、光源ユニット３０と包装箱２０の側面２４との間で緩衝材となる第１横受け部５３ａが、多重シート状になっている。このため、本実施の形態によれば、光源ユニット支持部材５０が、確実に固定される。また、包装箱入り光源ユニット１０が包装箱２０の角から床等に落下してしまっても、包装箱２０の角がつぶれにくい。
【００９７】
本実施の形態では、光源ユニット支持部材５０が、一枚の矩形状のシート材から形成される。このため、本実施の形態によれば、必要な材料を最小限に留めるとともに、材料を無駄なく使用することが可能となり、二酸化炭素の排出量の削減に貢献できる。
【００９８】
なお、前述したように、本実施の形態では、包装箱２０の強度を保つためにセンターパッドを使用する必要はないが、長手状の光源ユニット３０が自重によりたわむことを防止するためにセンターパッドを使用してもよい。
【００９９】
図１５は、本実施の形態に使用可能な補助支持部材９０の斜視図である。図１６は、補助支持部材９０の展開図である。
【０１００】
補助支持部材９０は、光源ユニット３０の中央部を支持するセンターパッドの一例である。梱包状態にて、補助支持部材９０は、光源ユニット３０の中央部又は中央部と電源装置３６との間の任意の位置に嵌められる。
【０１０１】
図１５に示すように、補助支持部材９０は、幅方向の途中の三箇所が折れ曲がり、幅方向に沿って切った断面がＭ字形状になっている。梱包状態にて、補助支持部材９０の幅方向の両端及び中央の折れ曲がった箇所は、包装箱２０の底面２３に接触する。補助支持部材９０の幅方向の中央以外の折れ曲がった箇所は、光源ユニット３０の底板３３と光源ユニット３０の一対の側板３４のそれぞれとの境界部分に接触する。
【０１０２】
補助支持部材９０は、光源ユニット支持部材５０と同様に、図１６に示すような一枚の矩形状のシート材が折れ曲がって形成されている。シート材の材料は、段ボールであることが望ましいが、他の材料であってもよい。また、補助支持部材９０は、パルプモールド、樹脂モールド等の成形品であってもよい。
【０１０３】
実施の形態２．
本実施の形態について、主に実施の形態１との差異を説明する。
【０１０４】
＊＊＊構成の説明＊＊＊
実施の形態１では、光源ユニット支持部材５０の端受け部５２が、二重シート状、即ち、二枚のシートを重ね合わせたような形状になっている。そして、端受け部５２を幅方向に沿って切った断面がＶ字形状になっている。本実施の形態では、端受け部５２が、上記二枚のシートのうち一方を逆側に折り曲げたような形状になっている。これにより、端受け部５２を幅方向に沿って切った断面が多角形状になっている。
【０１０５】
図１７は、光源ユニット支持部材５０の斜視図である。図１８は、光源ユニット支持部材５０の六面図である。なお、図１７では、図６とは逆側の端が見えるように光源ユニット支持部材５０を示している。
【０１０６】
図１７及び図１８に示すように、本実施の形態では、端受け部５２を幅方向に沿って切った断面が菱形状になっている。
【０１０７】
本実施の形態では、実施の形態１と同様に、端受け部５２の幅方向の途中の少なくとも一箇所が折れ曲がることで、第３接触部６３が底受け部５１と端受け部５２とに跨って形成されている。しかし、端受け部５２を構成する二枚のシート５２ａ，５２ｂが、実施の形態１のように重なり合うのではなく、第３接触部６３が形成されていないシート５２ｂが、第３接触部６３が形成されているシート５２ａとは逆側に折れ曲がっている。具体的には、第３接触部６３が形成されているシート５２ａを幅方向に沿って切った断面がＶ字形状になっているとすると、第３接触部６３が形成されていないシート５２ｂを幅方向に沿って切った断面が逆Ｖ字形状になっている。即ち、前述したように、端受け部５２を幅方向に沿って切った断面が菱形状になっている。なお、第３接触部６３が形成されていないシート５２ｂの幅方向の途中の二箇所以上が折れ曲がっていてもよい。即ち、端受け部５２を幅方向に沿って切った断面は、五角形状等、菱形状以外の多角形状になっていてもよい。また、本実施の形態における光源ユニット支持部材５０は、パルプモールド、樹脂モールド等の成形品であってもよい。
【０１０８】
＊＊＊機能の説明＊＊＊
梱包状態にて、光源ユニット支持部材５０の端受け部５２の第３接触部６３が形成されているシート５２ａは、実施の形態１と同様に、光源ユニット３０に対向する面がカバー３１の端面に接触又は接近して対向し、光源ユニット３０に対向する面と逆側の面が包装箱２０の端面２５に接触又は接近して対向する。端受け部５２の第３接触部６３が形成されていないシート５２ｂは、光源ユニット３０のカバー３１の高さが低ければ、光源ユニット３０に対向する面が存在しないが、光源ユニット３０のカバー３１の高さが一定以上あれば、光源ユニット３０に対向する面がカバー３１の端面に接触又は接近して対向し、光源ユニット３０に対向する面と逆側の面が包装箱２０の端面２５に接触又は接近して対向する。そのため、端受け部５２の第３接触部６３が形成されていないシート５２ｂも、光源ユニット３０と包装箱２０の端面２５との間で緩衝材となる。
【０１０９】
＊＊＊効果の説明＊＊＊
本実施の形態では、光源ユニット３０のカバー３１の高さが一定以上あれば、梱包状態にて、光源ユニット支持部材５０の端受け部５２の第３接触部６３が形成されているシート５２ａと第３接触部６３が形成されていないシート５２ｂが、上下方向に離れて光源ユニット３０と包装箱２０の端面２５との間で緩衝材となる。このため、本実施の形態によれば、特に高さが一定以上ある光源ユニット３０を振動や衝撃から保護することができる。
【０１１０】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【０１１１】
１０  包装箱入り光源ユニット、１１  テープ、２０  包装箱、２１  蓋部、２２  収納部、２３  底面、２４  側面、２５  端面、２６  蓋面、２７  平シート、３０  光源ユニット、３１  カバー、３２  端部、３３  底板、３４  側板、３５  光源、３６  電源装置、３７  器具対向面、３８  ＬＥＤ、３９  基板、４０  取り付け部、４１  フレーム、４１ａ  平坦部、４１ｂ  側面部、４１ｃ  境界部分、４２  保持部材、４２ａ  平坦部、４２ｂ  挟み込み部、４２ｃ  境界部分、４３  固定部、４４  挿入部、４５  貫通孔、５０  光源ユニット支持部材、５１  底受け部、５２  端受け部、５２ａ  シート、５２ｂ  シート、５３  横受け部、５３ａ  第１横受け部、５３ｂ  第２横受け部、５４  平パッド、５５  切れ込み、５６  切れ込み、５７  切れ込み、６１  第１接触部、６２  第２接触部、６３  第３接触部、６４  第４接触部、６５  第５接触部、７０  照明器具、７１  器具本体、７２  取り付けバネ、８０  照明装置、９０  補助支持部材。
【図１】
2016064847.tif 000003
【図２】
2016064847.tif 000004
【図３】
2016064847.tif 000005
【図４】
2016064847.tif 000006
【図５】
2016064847.tif 000007
【図６】
2016064847.tif 000008
【図８】
2016064847.tif 000009
【図９】
2016064847.tif 000010
【図１０】
2016064847.tif 000011
【図１１】
2016064847.tif 000012
【図１２】
2016064847.tif 000013
【図１３】
2016064847.tif 000014
【図１４】
2016064847.tif 000015
【図１５】
2016064847.tif 000016
【図１６】
2016064847.tif 000017
【図１７】
2016064847.tif 000018
【図７】
2016064847.tif 000019
【図１８】
2016064847.tif 000020